(57)【特許請求の範囲】
【請求項１】
バーナと、給排気を行う燃焼ファンとを備え、バーナへの空気供給部から排気通路に至る空気流通経路内の風量を風量センサの出力の測定値に基づいて算出し、該算出された風量情報によって燃焼ファンの回転制御を行う燃焼器の空気量制御装置において、
燃焼ファンが回転停止しているとき、風量センサの測定値を順次取り入れ、該取り入れられた風量センサの測定値が前記風量センサの出力の予め設定された上限値と下限値との間の領域内にある場合に、前記風量センサの測定値を記録データとして順次送出する出力判断部と、
前記記録データが順次送られて来ると、該順次送られて来た記録データの中から最大値と最小値とをそれぞれ選出し、前記選出された最大値と最小値との差が予め設定された出力変動幅の中にあり、かつ、前記順次送られて来た記録データのデータ数が所定数と一致した場合に、前記所定数の記録データを補正用データとして送出する出力変動量判断部と、
前記所定数の補正用データが送られて来ると、前記補正用データの平均値を算出し、該平均値を風量センサの０点補正値として出力する風量センサの０点補正値算出部とを備えたことを特徴とする燃焼器の空気量制御装置。
【請求項２】
前記取り入れられた風量センサの測定値が前記風量センサの出力の予め設定された上限値と下限値との間の領域外にある場合、および、前記選定された最大値と最小値との差が予め設定された出力変動幅の外にある場合に、不適性データ信号がそれぞれ出力され、該不適性データ信号が出力された回数を加算し、該加算された回数が規定された回数以下の場合には、前記送られて来た記録データを除去するとともに、前記選定された最大値と最小値とを除去し、風量センサに測定再開を指示し、前記加算された回数が規定された回数と一致した場合には、０点補正の実行を終了する０点補正管理部を備えたことを特徴とする請求項１記載の燃焼器の空気量制御装置。
【請求項３】
バーナと、給排気を行う燃焼ファンとを備え、バーナへの空気供給部から排気通路に至る空気流通経路内の風量を風量センサの出力の測定値に基づいて算出し、該算出された風量情報によって燃焼ファンの回転制御を行う燃焼器の空気量制御方法において、
出力判断部は、燃焼ファンが回転停止しているとき、風量センサの測定値を順次取り入れ、該取り入れられた風量センサの測定値が前記風量センサの出力の予め設定された上限値と下限値との間の領域内にある場合に、前記風量センサの測定値を記録データとして順次送出し、
出力変動量判断部は、前記記録データが順次送られて来ると、該順次送られて来た記録データの中から最大値と最小値とをそれぞれ選出し、前記選出された最大値と最小値との差が予め設定された出力変動幅の中にあり、かつ、前記順次送られて来た記録データのデータ数が所定数と一致した場合に、前記所定数の記録データを補正用データとして送出し、
０点補正値算出部は、前記所定数の補正用データが送られて来ると、前記補正用データの平均値を算出し、該平均値を風量センサの０点補正値として出力することを特徴とする燃焼器の空気量制御方法。
【請求項４】
バーナと、給排気を行う燃焼ファンとを備え、バーナへの空気供給部から排気通路に至る空気流通経路内の風量を風量センサの出力の測定値に基づいて算出し、該算出された風量情報によって燃焼ファンの回転制御を行う燃焼器の空気量制御装置において、
燃焼ファンが回転停止しているとき、風量センサの測定値を順次取り入れ、該取り入れられた風量センサの測定値が前記風量センサの出力の予め設定された上限値と下限値との間の領域内にある場合に、前記風量センサの測定値を補正用データとして順次送出する出力判断部と、
前記所定数の補正用データが送られて来ると、前記補正用データの平均値を算出し、該平均値を風量センサの０点補正値として出力する風量センサの０点補正値算出部とを備えたことを特徴とする燃焼器の空気量制御装置。
【発明の詳細な説明】
【０００１】
【産業上の利用分野】
本発明は、バーナと、給排気を行う燃焼ファンとを備え、バーナへの空気供給部から排気通路に至る空気流通経路内の風量を風量センサの出力の測定値に基づいて算出し、該算出された風量情報によって燃焼ファンの回転制御を行う燃焼器の空気量制御装置およびその方法に関する。
【０００２】
【従来の技術】
従来の燃焼器の空気量制御装置としては、例えば、特開昭６３−１９７９４８号公報に開示されたものがある。
すなわち、給気管に送風機によって空気が取り込まれ、給気管に風速センサが設けられ、風速センサの出力値に基づき、送風機の回転数を制御するものである。風速センサには、ホットワイヤ式のものや、ダイアフラム等を用いた差圧式のものが用いられている。
【０００３】
【発明が解決しようとする課題】
しかしながら、このような従来の燃焼器の空気量制御装置では、一般的に風速センサは経年変化によりその０点が移動し、該０点移動による出力変化を補正できないため、０点補正がされないまま、その出力変化に基づき空気量を調整すると、不完全燃焼を引き起こす場合があるという問題点があった。
一方、風速センサの０点補正を行なう際には、有効な測定情報を得るために、送風機を停止するとともに、燃焼器周辺が無風状態になっていることが条件となる。
本発明は、このような従来の問題点に着目してなされたもので、燃焼器周辺の風の有無を判断するとともに、無風時における０点補正を行なった上で、空気量を制御し、正常な燃焼を維持することができるようにした燃焼器の空気量制御装置を提供することを目的としている。
【０００４】
【課題を解決するための手段】
１  バーナ（１３）と、給排気を行う燃焼ファン（１２）とを備え、バーナ（１３）への空気供給部から排気通路に至る空気流通経路内の風量を風量センサ（１８）の出力の測定値に基づいて算出し、該算出された風量情報によって燃焼ファン（１２）の回転制御を行う燃焼器の空気量制御装置において、
燃焼ファン（１２）が回転停止しているとき、風量センサ（１８）の測定値を順次取り入れ、該取り入れられた風量センサ（１８）の測定値が前記風量センサ（１８）の出力の予め設定された上限値と下限値との間の領域内にある場合に、前記風量センサ（１８）の測定値を記録データとして順次送出する出力判断部（４２）と、
前記記録データが順次送られて来ると、該順次送られて来た記録データの中から最大値と最小値とをそれぞれ選出し、前記選出された最大値と最小値との差が予め設定された出力変動幅の中にあり、かつ、前記順次送られて来た記録データのデータ数が所定数と一致した場合に、前記所定数の記録データを補正用データとして送出する出力変動量判断部（４４）と、
前記所定数の補正用データが送られて来ると、前記補正用データの平均値を算出し、該平均値を風量センサ（１８）の０点補正値として出力する風量センサ（１８）の０点補正値算出部（４６）とを備えたことを特徴とする燃焼器の空気量制御装置。
【０００５】
２  前記取り入れられた風量センサ（１８）の測定値が前記風量センサ（１８）の出力の予め設定された上限値と下限値との間の領域外にある場合、および、前記選定された最大値と最小値との差が予め設定された出力変動幅の外にある場合に、不適性データ信号がそれぞれ出力され、該不適性データ信号が出力された回数を加算し、該加算された回数が規定された回数以下の場合には、前記送られて来た記録データを除去するとともに、前記選定された最大値と最小値とを除去し、風量センサ（１８）に測定再開を指示し、前記加算された回数が規定された回数と一致した場合には、０点補正の実行を終了する０点補正管理部（５０）を備えたことを特徴とする１項記載の燃焼器の空気量制御装置。
【０００６】
３  バーナ（１３）と、給排気を行う燃焼ファン（１２）とを備え、バーナ（１３）への空気供給部から排気通路に至る空気流通経路内の風量を風量センサ（１８）の出力の測定値に基づいて算出し、該算出された風量情報によって燃焼ファン（１２）の回転制御を行う燃焼器の空気量制御方法において、
出力判断部（４２）は、燃焼ファン（１２）が回転停止しているとき、風量センサ（１８）の測定値を順次取り入れ、該取り入れられた風量センサ（１８）の測定値が前記風量センサ（１８）の出力の予め設定された上限値と下限値との間の領域内にある場合に、前記風量センサ（１８）の測定値を記録データとして順次送出し、
出力変動量判断部（４４）は、前記記録データが順次送られて来ると、該順次送られて来た記録データの中から最大値と最小値とをそれぞれ選出し、前記選出された最大値と最小値との差が予め設定された出力変動幅の中にあり、かつ、前記順次送られて来た記録データのデータ数が所定数と一致した場合に、前記所定数の記録データを補正用データとして送出し、
０点補正値算出部（４６）は、前記所定数の補正用データが送られて来ると、前記補正用データの平均値を算出し、該平均値を風量センサ（１８）の０点補正値として出力することを特徴とする燃焼器の空気量制御方法。
【０００７】
４  バーナ（１３）と、給排気を行う燃焼ファン（１２）とを備え、バーナ（１３）への空気供給部から排気通路に至る空気流通経路内の風量を風量センサ（１８）の出力の測定値に基づいて算出し、該算出された風量情報によって燃焼ファン（１２）の回転制御を行う燃焼器の空気量制御装置において、
燃焼ファン（１２）が回転停止しているとき、風量センサ（１８）の測定値を順次取り入れ、該取り入れられた風量センサ（１８）の測定値が前記風量センサ（１８）の出力の予め設定された上限値と下限値との間の領域内にある場合に、前記風量センサ（１８）の測定値を補正用データとして順次送出する出力判断部（４２）と、
前記所定数の補正用データが送られて来ると、前記補正用データの平均値を算出し、該平均値を風量センサ（１８）の０点補正値として出力する風量センサ（１８）の０点補正値算出部（４６）とを備えたことを特徴とする燃焼器の空気量制御装置に存する。
【０００８】
【作用】
出力判断部（４２）は、燃焼ファン（１２）が回転停止しているとき、風量センサ（１８）の測定値を順次取り入れ、該取り入れられた風量センサ（１８）の測定値が前記風量センサ（１８）の出力の予め設定された上限値と下限値との間の領域内にある場合に、前記風量センサ（１８）の測定値を記録データとして順次送出する。
出力変動量判断部（４４）は、前記記録データが順次送られて来ると、該順次送られて来た記録データの中から最大値と最小値とをそれぞれ選出し、前記選出された最大値と最小値との差が予め設定された出力変動幅の中にあり、かつ、前記順次送られて来た記録データのデータ数が所定数と一致した場合に、前記所定数の記録データを補正用データとして送出する。
【０００９】
０点補正値算出部（４６）は、前記所定数の補正用データが送られて来ると、前記補正用データの平均値を算出し、該平均値を風量センサ（１８）の０点補正値として出力する。
０点補正された風速センサの測定値に基づいて空気流通経路内の風量を算出し、算出された風量情報によって燃焼ファン（１２）の回転制御を行う。
【００１０】
前記取り入れられた風量センサ（１８）の測定値が前記風量センサ（１８）の出力の予め設定された上限値と下限値との間の領域外にある場合、および、前記選定された最大値と最小値との差が予め設定された出力変動幅の外にある場合に、不適性データ信号がそれぞれ出力され、該不適性データ信号が出力された回数を加算し、該加算された回数が規定された回数以下の場合には、前記送られて来た記録データを除去するとともに、前記選定された最大値と最小値とを除去し、風量センサ（１８）に測定再開を指示し、前記加算された回数が規定された回数と一致した場合には、０点補正の実行を終了する０点補正管理部（５０）を備えたものでは、
不適性データに基づく、０点補正値の出力を防止することができ、また、不適性データ信号の出力が多い場合には、時を改めて、測定を実行することができ、または、風速センサの寿命の判断の目安にもすることができる。
【００１１】
【実施例】
以下、図面に基づき本発明の一実施例を説明する。
各図は本発明の一実施例を示している。
図２に示すように、燃焼室１１の下方側にはバーナ１３が設置され、そのバーナ１３の下方には、給排気を行う燃焼ファン１２が設けられている。燃焼ファン１２には回転検出センサが設けられている。燃焼室１１の上方側には給湯熱交換器１４が設けられ、給湯熱交換器１４の入口側には給水管１５が接続され、給湯熱交換器１４の出口側には給湯管１５ａが接続されている。
【００１２】
バーナ１３のガス供給通路１６が接続され、バーナ１３の下方側と排気通路１９とがバイパス通路１７により連通している。バイパス通路１７の中間部には、風量センサ１８が設けられている。風量センサ１８としては、熱線式の風速センサ、または、ダイアフラム式の差圧センサが用いられている。熱線流速計は、流速が電流変化となって出力されるもので、通常、白金線などのワイヤから奪われる熱量により風速を測定するものであり、シリコン基板上にこれを設けたものもある。ダイアフラム式の差圧センサはバーナ１３の燃焼ファン側１２側の圧力と燃焼室１１側の圧力の差が電流変化となって出力されるものである。
【００１３】
図１は、本制御装置のブロック図を示している。
制御装置は、ＣＰＵである制御部２０を備えている。制御部２０には、図示省略した電源回路、並びに、風量センサ１８の出力信号を取り入れるタイミングをとるための図示省略したクロックが接続されている。風量センサ１８の出力信号は、図示省略した増幅回路およびＡ−Ｄ変換回路を介して、デジタル値として後述のメモリ３０に入力される。
本制御装置には、内部記憶部としてＲＡＭまたは記録書き換え可能なＥＥＰＲＯＭから構成されるメモリ３０が設けられている。メモリ３０には、制御プログラム、風量センサ１８の０点出力上限値Ｖｏｍａｘｌｉｍｉｔ、風量センサ１８の０点出力下限値Ｖｏｍｉｎｌｉｍｉｔ、後述する出力変動幅、ガス量に相応した目標センサ出力ｖを算出するためのデータなどが記録されている。また、メモリ３０には、風量センサ１８の出力値ｖｏ、後述の記録データｖｏ，ｉ、最大値ｖｏｍａｘ  、最大値ｖｏｍｉｎ  、補正用データ、０点補正値および０点補正後の数値などが記録される。
【００１４】
出力判断部４２は、演算装置であって、制御部２０の制御信号により、メモリ３０に記録された風量センサ１８の出力値ｖｏを順次取り入れ、該取り入れられた風量センサ１８の出力値ｖｏが前記０点出力上限値Ｖｏｍａｘｌｉｍｉｔ以下で、かつ、０点出力下限値Ｖｏｍｉｎｌｉｍｉｔ以上である場合に、その風量センサ１８の出力値ｖｏを記録データｖｏ，ｉとして順次メモリ３０に送出するものである。出力判断部４２は比較回路であり、取り入れられた風量センサ１８の出力値ｖｏが前記０点出力上限値Ｖｏｍａｘｌｉｍｉｔ以上であったり、また、０点出力下限値Ｖｏｍｉｎｌｉｍｉｔ以下である場合に、メモリ３０に不適性データ信号を出力する。メモリ３０は不適性データ信号が出力された回数を記録する。
出力変動量判断部４４は、最大値設定部、最小値設定部、変動量算出部、および記録データ数計数部から成る。最大値設定部は比較回路であり、初めに送られてきた記録データｖｏ，ｉを最大値ｖｏｍａｘ  とし、該最大値ｖｏｍａｘ  と次に送られて来る記録データｖｏ，ｉとを比較して、大きい数値の方を最大値ｖｏｍａｘ  としてメモリ３０に出力する。次に、この最大値ｖｏｍａｘ  と次に送られて来る記録データｖｏ，ｉとを比較していくもので、すなわち、順次送られて来た記録データｖｏ，ｉの中から最大値ｖｏｍａｘ  を選出するものである。
【００１５】
同じく、最小値設定部は、小さい数値の方を最大値ｖｏｍｉｎ  としてメモリ３０に出力していき、順次送られて来た記録データｖｏ，ｉの中から最小値ｖｏｍｉｎ  を選出するものである。
変動量算出部は、メモリ３０に記録された前記選出された最大値ｖｏｍａｘ  と最小値ｖｏｍｉｎ  とから両者の差を逐次算出し、該両者の差とメモリ３０に記録された出力変動幅とを比較し、前記両者の差が出力変動幅の外にあると、メモリ３０に不適性データ信号を出力する。メモリ３０は、同じく、不適性データ信号が出力された回数を記録する。
【００１６】
記録データ数計数部は、メモリ３０に記録され、メモリ３０から送られて来る記録データｖｏ，ｉのデータ数が所定数ｔと一致した場合に、前記所定数ｔの記録データｖｏ，ｉを補正用データとしてメモリ３０に送出するものである。
０点補正値算出部４６は、演算装置であり、所定数ｔの補正用データがメモリ３０に送出された場合に、所定数ｔの補正用データをメモリ３０から取り込み、前記補正用データの平均値を算出し、該平均値を風量センサ１８の０点補正値としてメモリ３０に出力するものである。
【００１７】
０点補正管理部５０は、比較回路であり、メモリ３０に記録された前記不適性データ信号が出力された回数ｍと、規定された回数Ｍとを比較し、ｍ＜Ｍである場合には、リセット信号を出力し、ｍ＝Ｍの場合にはエラー信号を出力し０点補正の実行を終了するようにしたものである。
リセット信号を出力されると、メモリ３０に記録された記録データｖｏ，ｉを除去するとともに、前記選定された最大値ｖｏｍａｘ  と最小値ｖｏｍｉｎ  とを除去し、風量センサ１８に測定再開を指示する。
【００１８】
制御部２０は、０点補正された風量センサ１８の出力値ｖおよびメモリ３０に記録されたファン回転数を算出するためのデータに基づいて、ファン回転数制御信号を駆動回路６０に送出するものであり、駆動回路６０は、ファン回転数制御信号および制御外からの電気エネルギーを用いて燃焼ファン１２に必要電流を供給するものである。燃焼ファン１２には図示省略した回転検出センサが設けられ、回転検出センサはそのセンサ出力が制御部２０にフィードバックするものである。
【００１９】
次に作用を説明する。
０点補正は、冷起動時に行なわれる。
図３に示すように、風量センサ１８の始動時においては、不適性データ信号の出力回数ｍは０であり、風量センサ１８の出力値の最大値ｖｏｍａｘ  および最大値ｖｏｍｉｎ  は０である。
【００２０】
ステップ１において、制御部２０は風量センサ１８の出力値ｖｏを取り入れるタイミングを図示省略した発振回路から得る。制御部２０の制御信号により、図示省略した増幅回路およびＡ−Ｄ変換回路を介して、風量センサ１８の出力値ｖｏがデジタル値として制御部２０に出力する。風量センサ１８の出力値ｖｏはメモリ３０に記録される。
ステップ２において、出力判断部４２は、メモリ３０に記録された風量センサ１８の出力値ｖｏと同じく記録された０点出力上限値Ｖｏｍａｘｌｉｍｉｔとを比較するとともに、風量センサ１８の出力値ｖｏと同じく記録された０点出力下限値Ｖｏｍｉｎｌｉｍｉｔとを比較する。
【００２１】
ステップ３〜ステップ４において、風量センサ１８の出力値ｖｏが前記０点出力上限値Ｖｏｍａｘｌｉｍｉｔ以下で、かつ、０点出力下限値Ｖｏｍｉｎｌｉｍｉｔ以上である場合に、その風量センサ１８の出力値ｖｏを記録データｖｏ，ｉとして順次メモリ３０に送出する。
ステップ２において、出力判断部４２は取り入れられた風量センサ１８の出力値ｖｏが前記０点出力上限値Ｖｏｍａｘｌｉｍｉｔ以上であったり、また、０点出力下限値Ｖｏｍｉｎｌｉｍｉｔ以下である場合に、メモリ３０に不適性データ信号を出力する。
【００２２】
ステップ１３において、メモリ３０に不適性データ信号を出力された場合には、メモリ３０は不適性データ信号が出力された回数を記録する。
ステップ５〜ステップ６において、出力変動量判断部４４の最大値設定部が初めに送られてきた記録データｖｏ，ｉを最大値ｖｏｍａｘ  とし、該最大値ｖｏｍａｘ  と次に送られて来る記録データｖｏ，ｉとを比較して、大きい数値の方を最大値ｖｏｍａｘ  としてメモリ３０に出力する。次に、この最大値ｖｏｍａｘ  と次に送られて来る記録データｖｏ，ｉとを比較してくもので、すなわち、順次送られて来た記録データｖｏ，ｉの中から最大値ｖｏｍａｘ  を選出する。
【００２３】
ステップ７〜ステップ８において、同じく、出力変動量判断部４４の最小値設定部は、小さい数値の方を最大値ｖｏｍｉｎ  としてメモリ３０に出力していき、順次送られて来た記録データｖｏ，ｉの中から最小値ｖｏｍｉｎ  を選出する。
ステップ９において、出力変動量判断部４４の変動量算出部は、メモリ３０に記録された前記選出された最大値ｖｏｍａｘ  と最小値ｖｏｍｉｎ  とから両者の差を逐次算出し、該両者の差とメモリ３０に記録された出力変動幅とを比較し、前記両者の差が出力変動幅の外にあると、メモリ３０に不適性データ信号を出力する。一方、両者の差が出力変動幅の中にあれば、適正なデータとしてメモリ３０に記録される。
【００２４】
ステップ１３において、メモリ３０に不適性データ信号を出力されると、メモリ３０は、同じく、不適性データ信号が出力された回数を記録する。
ステップ１０において、出力変動量判断部４４の記録データ数計数部は、メモリ３０に記録され、メモリ３０から送られて来る記録データｖｏ，ｉのデータ数が所定数ｔと一致した場合に、前記所定数ｔの記録データｖｏ，ｉを補正用データとしてメモリ３０に送出する。
【００２５】
ステップ１１において、０点補正値算出部４６は、所定数ｔの補正用データがメモリ３０に送出された場合に、所定数ｔの補正用データをメモリ３０から取り込み、前記補正用データの平均値を算出し、該平均値を風量センサ１８の０点補正値Ｖｏとしてメモリ３０に出力する。
ステップ１４において、０点補正管理部５０は、メモリ３０に記録された前記不適性データ信号が出力された回数ｍと、規定された回数Ｍとを比較し、ｍ＜Ｍである場合には、リセット信号を出力し、ｍ＝Ｍの場合にはエラー信号を出力する。
【００２６】
ステップ１５において、エラー信号が出力されると、０点補正の実行を終了する。この場合は、一定時間後に改めて０点補正が行なわれる。また、エラー信号が度重なる場合には、風量センサ１８の故障や寿命であることも考えられる。
【００２７】
ステップ１６において、リセット信号を出力されると、メモリ３０に記録された記録データｖｏ，ｉを除去するとともに、前記選定された最大値ｖｏｍａｘ  と最小値ｖｏｍｉｎ  とを除去し、風量センサ１８に測定再開を指示する。
制御部２０は、０点補正された風量センサ１８の出力値ｖおよびメモリ３０に記録されたファン回転数を算出するためのデータに基づいて、ファン回転数制御信号を算出し、ファン回転数制御信号を駆動回路６０に送出する。ステップ１２において、駆動回路６０は、ファン回転数制御信号および制御外からの電気エネルギーを用いて、燃焼ファン１２に必要電流を供給し、ポストファン点火シーケンスへ移行する。
【００２８】
風量センサ１８はそのセンサ出力を制御部２０にフィードバックし、点火以後、ファン回転数でフィードバック制御するのではなく、風量センサ１８でフィードバック制御を行なう。
なお、前記実施例においては、出力判断部４２が記録データを送出し、出力変動量判断部４４が補正用データを送出するものを示したが、出力判断部４２が、燃焼ファン１２が回転停止しているとき、風量センサ１８の測定値を順次取り入れ、該取り入れられた風量センサ１８の測定値が前記風量センサ１８の出力の予め設定された上限値と下限値との間の領域内にある場合に、前記風量センサ１８の測定値を補正用データとして順次送出し、所定数の補正用データの平均値を０点補正値算出部が算出するようにしてもよい。
【００２９】
また、その際に補正用のデータの所定数ｔは１以上であればよいことはいうまでもない。
さらに、前記実施例においては、風量センサ１８は、バーナ１３のファン側と燃焼室１１側で測定したが、これに限らず、風量を測定できる場所であれば、どこであってもよい。例えば、図４および図５に示すように、ホットワイヤ式のものでは、１７ａ〜１７ｄおよび１７ｇ〜１７ｈのバイパス通路、並びに、ダイアフラム式のものでは、１７ａ〜１７ｊのバイパス通路においてそれぞれ測定可能である。
【００３０】
【発明の効果】
本発明にかかる燃焼器の空気量制御装置およびその方法によれば、風量センサの０点補正を有効に行なうようにしたので、経年変化や外気温の変化により、風量センサの０点が変動しても、適宜空気量を制御して、正常な運転を確保することができる。
【図面の簡単な説明】
【図１】本発明の一実施例を示す燃焼器の空気量制御装置のブロック図である。
【図２】本発明の一実施例を示す燃焼器の正面図である。
【図３】本発明の一実施例を示す燃焼器の空気量制御のフロー図である。
【図４】本発明の一実施例を示す燃焼器の正面図である。
【図５】本発明の一実施例を示す燃焼器の正面図である。
【符号の説明】
１０…燃焼器
１１…燃焼室
１２…燃焼ファン
１３…バーナ
１４…給湯熱交換器
１７…バイパス通路
１８…風量センサ
１９…排気通路
２０…制御部
３０…メモリ
４２…出力判断部
４４…出力変動量判断部
４６…０点補正値算出部
５０…０点補正管理部
６０…駆動回路
【図１】
0003566758.tif 000002
【図２】
0003566758.tif 000003
【図３】
0003566758.tif 000004
【図４】
0003566758.tif 000005
【図５】
0003566758.tif 000006